(57)【要約】【課題】設置作業性が良好で、設置場所に汎用性を持たせることができる自動精算機を提供する。【解決手段】取付アーム３側の先端面部７ａに形成された係止孔７ｂ，７ｂに、ディスプレイ５側の係止フック８ａを挿入して係止する。取付アーム３の係止孔７ｂに係止フック８ａを回動可能に係止すると、係止孔７ｂは、ディスプレイ５の上下方向の回動中心となる。そして、ディスプレイ５の取付位置の状態では、表示装置４が取付アーム３によって下方から支持されている。このため、作業者は一方の片手で容易にディスプレイ５を水平近くまで持ち上げて、上面部２ｈから離間させることができる。【選択図】図３
2020170058.tif 000002
【特許請求の範囲】
【請求項１】
箱型の筺体と、
前記筺体から上方に向けて突設される取付アームと、
前記取付アームに装着されて前記筺体の上方に配置されるディスプレイを有する表示部と、を備え、
前記ディスプレイの裏面側には、かぎ状の係止フックを設け、前記取付アームの先端部には、前記ディスプレイの上下方向の回動中心となる被係止部を形成し、
前記ディスプレイは、所定の回動範囲に、前記係止フックを前記被係止部に係止して、前記ディスプレイを前記筺体から離間する上方に回動させた取付位置と、前記ディスプレイを前記取付位置よりも下方に回動させた固定位置とを少なくとも有することを特徴とする自動精算機。
【請求項２】
前記取付アームの先端に設けられた本体側ブラケットと、前記ディスプレイの背面側に設けられて、前記本体側ブラケットに前記固定位置で固定される表示部側ブラケットとを有し、前記本体側ブラケットおよび前記表示部側ブラケットには、前記固定位置で前記本体側ブラケットに前記表示部側ブラケットを固定する締結具を挿通する挿通孔が設けられ、
前記挿通孔は、前記被係止部を円の中心とした周方向に延設される長孔であることを特徴とする請求項１に記載の自動精算機。
【請求項３】
前記取付アームの先端に設けられた本体側ブラケットと、前記ディスプレイの背面側に設けられて、前記本体側ブラケットに係合される表示部側ブラケットとを有し、少なくとも何れか一方には、他方をガイドするテーパ部を設けたことを特徴とする請求項１または２に記載の自動精算機。
【請求項４】
前記筺体の下面に設けられて、前記筺体を支持する脚部と、
前記脚部の周囲に設けられて前記筺体の外側縁に沿って配置されるフットガード部材とを更に備え、
前記フットガード部材は、前記筺体の各辺に対応する、分解可能な複数の板状部材を有し、各板状部材の端部間を連結可能としたことを特徴とする請求項１乃至３のうち何れか一項に記載の自動精算機。
【請求項５】
少なくとも前記筺体の背面側に位置する背面フットガード部材には、ケーブルを挿通する挿通孔を長手方向の左，右端の何れか一方に開口形成したことを特徴とする請求項４に記載の自動精算機。
【請求項６】
前記筺体の前面に形成された開口と、
前記開口の一側辺に設けられた回動軸を回転中心として回動して、前記開口を開閉可能とする扉と、
前記筺体の上面に配置されるプリンタ装置と、
前記プリンタ装置に用いられるプリント用紙を供給する補充開口と、
前記補充開口を開閉する開閉体とを更に備え、
前記扉を閉じた状態を、前記扉および前記開閉体を干渉させるロック位置として、前記開閉体を開放不能とし、前記扉を開放した状態を前記扉が干渉しない退避位置として、前記開閉体を開放可能とする盗難防止手段を有することを特徴とする請求項１乃至５のうち何れか一項に記載の自動精算機。
【請求項７】
前記開閉体は、前記筺体の上面に沿って前後方向にスライド移動して開閉を行う引出部材と、前記引出部材の前面に固着されているカバー面材とを有し、
前記盗難防止手段は、前記扉が閉じた状態で前記扉の一部に対向する位置に前記開閉体から突設された突設片であることを特徴とする請求項６に記載の自動精算機。
【請求項８】
前記開閉体は、前記筺体の上面に回動自在に軸支されたボックスカバーであり、
前記盗難防止手段は、前記扉が閉じた状態で前記扉の一部に対向する位置に前記ボックスカバーから突設された突設片であることを特徴とする請求項６に記載の自動精算機。
【請求項９】
箱形の筺体と、
前記筺体の下面に設けられて、前記筺体を支持する脚部と、
前記脚部の周囲に設けられて前記筺体の外側縁に沿って配置されるフットガード部材とを備え、
前記フットガード部材は、前記筺体の各辺に対応する、分解可能な複数の板状部材を有し、各板状部材の端部間を連結可能としたことを特徴とする自動精算機。
【請求項１０】
箱形の筺体と、
前記筺体の前面に形成された開口と、
前記開口の一側辺に設けられた回動軸を回転中心として回動して、前記開口を開閉可能とする扉と、
前記筺体の上面に配置されるプリンタ装置と、
前記プリンタ装置に用いられるプリント用紙を供給する補充開口と、
前記補充開口を開閉する開閉体とを備え、
前記扉を閉じた状態を、前記扉および前記開閉体を干渉させるロック位置として、前記開閉体を開放不能とし、前記扉を開放した状態を前記扉が干渉しない退避位置として、前記開閉体を開放可能とする盗難防止手段を有することを特徴とする自動精算機。
【発明の詳細な説明】
【技術分野】
【０００１】
本発明は、自動精算機に関する。
【背景技術】
【０００２】
ホテルなどに置かれて、精算取引を行う自動精算機が知られている。このような自動精算機では、限られた設置スペースに効率よく設置することが求められている。
【先行技術文献】
【特許文献】
【０００３】
【特許文献１】特開２００１−１３４８１３号公報
【発明の概要】
【発明が解決しようとする課題】
【０００４】
たとえば、自動精算機が建物の壁部に形成された凹所などに、押込まれるように設置される場合がある。
このような場合、液晶パネルなどを自動精算機本体に接続して固定しようとすると、周囲の壁や柱などの建物の構造物が取付作業の妨げとなって、取付作業性が良好であるとは言い難かった。
本発明は、設置作業性が良好で、設置場所に汎用性を持たせることができる自動精算機を提供することを目的とする。
【課題を解決するための手段】
【０００５】
本発明に係る自動精算機は、箱型の筺体と、筺体から上方に向けて突設される取付アームと、取付アームに装着されて筺体の上方に配置されるディスプレイを有する表示部と、を備え、ディスプレイの裏面側には、かぎ状の係止フックを設け、取付アームの先端部には、係止フックを回動可能に係止して、ディスプレイの上下方向の回動中心となる被係止部を形成し、記ディスプレイは、所定の回動範囲に、ディスプレイを前記筺体から離間する上方に回動させた取付位置と、ディスプレイを取付位置よりも下方に回動させた固定位置とを少なくとも有している。
【発明の効果】
【０００６】
本発明によれば、設置作業性が良好で、設置場所に汎用性を持たせることができる自動精算機が提供される。
【図面の簡単な説明】
【０００７】
【図１】実施形態の自動精算機の全体の構成を説明する斜視図である。
【図２】実施形態の自動精算機で凹所に設置された自動精算機を示す上面図である。
【図３】実施形態の自動精算機で、液晶パネルが取付アームから外れている様子を示す分解斜視図である。
【図４】実施形態の自動精算機で、液晶パネルを取付アームに係合させた状態で配線を行う様子を示す部分断面図である。
【図５】実施形態の自動精算機で、取付アームに係合した液晶パネルを回動させて固定する様子を示す部分断面図である。
【図６】実施形態の自動精算機で、受金具にテーパを有する組付金具が内嵌する構成を示す水平断面図である。
【図７】実施形態の変形例１の自動精算機で、テーパを設けた受金具に組付金具を内嵌させる構成を示す水平断面図である。
【図８】実施形態の変形例２の自動精算機で、受金具に組付金具を係止させる係止部の構成を説明する断面図である。
【図９】実施形態の変形例３の自動精算機で、受金具に組付金具を係止させる係止部の構成を説明する断面図である。
【図１０】実施形態の自動精算機で、下部に設けられるフットガードの構成を説明する図１４中Ｘ−Ｘ線に沿った位置での断面図である。
【図１１】実施形態の自動精算機で、組付前のフットガードの構成を説明する水平断面図である。
【図１２】実施形態の自動精算機で、右側に配線開口を設けたフットガードの背面図である。
【図１３】実施形態の自動精算機で、左側に配線開口を設けたフットガードの背面図である。
【図１４】実施形態の自動精算機で、（ａ）は扉を閉じた状態、（ｂ）は扉を開いた状態を示す側面図である。
【図１５】実施形態の変形例４の自動精算機で、扉を閉じた状態を示す側面図である。
【図１６】実施形態の変形例４の自動精算機で、扉を開けた状態を示す側面図である。
【図１７】実施形態の変形例５の自動精算機で、扉を閉じた状態を示す側面図である。
【発明を実施するための形態】
【０００８】
本発明の実施形態について、図１乃至図１７を参照して詳細に説明する。説明において、同一の要素には同一の番号を付し、重複する説明は省略する。
【０００９】
［全体の構成］
図１は、実施形態の自動精算機１の全体の構成を説明する斜視図である。
この実施形態の自動精算機１は、精算機本体２およびディスプレイ５を含む表示装置４とから主に構成されている。
このうち、精算機本体２は、箱型で内部を中空とする筺体２ａと扉２ｂとを備える。筺体２ａは、前面にメンテナンス開口２ｃを開口形成している。メンテナンス開口２ｃの一側辺２ｄには、ヒンジ部材２ｅ，２ｅが設けられている。
ヒンジ部材２ｅ，２ｅは、回動軸を回転中心として扉２ｂを横開き方向に回動可能としている。メンテナンス開口２ｃは、扉２ｂが開放された状態で、内部に収納している機器類５５を引出すことができる（図１４参照）。
【００１０】
本実施形態の自動精算機１は、扉２ｂに、パスポート読取部１３、カード発行吸入口１４、クレジットカード決済端末１５、紙幣口１６ａ、硬貨投入口１６ｂ、施錠部１６ｃ、硬貨返却口１６ｄが設けられている。このうち、施錠部１６ｃは、メンテナンス開口２ｃが扉２ｂによって閉じられている状態で、開放不能に施錠することができる。
また、筺体２ａには、メンテナンス開口２ｃのヒンジ部材２ｅが装着されている一側辺２ｄの反対側の他側辺２ｇ側の上方には、上面部２ｈの正面視右側縁に沿ってプリンタ装置４０が設けられている。
【００１１】
そして、筺体２ａの後縁部のほぼ中央からは、斜め前方の上方に向けて取付アーム３が突設されている。
取付アーム３には、先端部に表示装置４が装着されていて、筺体２ａの上面部２ｈの上方に所定の間隔を空けてディスプレイ５を配置している。
表示装置４は、平面状の表示面を有するディスプレイ５と、ディスプレイ５を収納するハウジング６とを有している。本実施形態のディスプレイ５は、ＬＣＤ（liquid crystal display）により長方形の薄板形状を呈して構成されていて、表示面を露出させてハウジング６に格納されている。なお、ディスプレイ５は、有機ＥＬ（organic electro-luminescence: OEL）等、他の表示方式を用いる表示装置であってもよい。
ディスプレイ５の表示面は、精算機本体２側から延設されたケーブル９の信号に応じて各種情報を表示する（図３参照）。
さらに、本実施形態のディスプレイ５は、表示面にタッチパネル機能が設けられている。ユーザは、表示面をタッチすると該当する位置に対応する信号がケーブル９から精算機本体２に送られる。
【００１２】
［設置場所］
図２は、自動精算機１が設置される建物１００の壁部１０１の水平断面図である。壁部１０１には、室内側の壁面１０１ａから奥手側への方向Ｂに凹んだブース１０２が形成されている。自動精算機１の精算機本体２の大きさは、ブース１０２の大きさよりもやや小さく形成されていて、ブース１０２の内側の空間部に自動精算機１が一台、前方（作業スペース１０３側）から押込む方向Ｂで入るように形成されている。
ブース１０２の前方には、作業スペース１０３が存在する。作業者は、表示装置４を交換する際、作業スペース１０３から取付に用いる締結具での組付け作業や、配線の接続作業を行っていた。このため、周囲の壁部１０１が左右両側に隣接する精算機本体２では、視認性やアクセス性が悪い状態で、交換作業を行わなければならない。
また、取付ねじを取り外すと表示装置４が落下してしまう。このため、二人の作業者によらなければ、表示装置４を精算機本体２に装脱着することは困難であった。
【００１３】
［表示部の取付］
本実施形態の自動精算機１は、筺体２ａから上方に向けて突設される取付アーム３と、取付アーム３に装着されて筺体２ａの上方に配置される表示装置４と、を備えている。
図３に示すように、取付アーム３の先端には、受金具としての本体側ブラケット７が設けられている。また、ディスプレイ５のハウジング６の背面側６ａには、ほぼ中央に組付金具としての本体側ブラケット７に固定される表示部側ブラケット８が設けられている。
【００１４】
このうち、表示部側ブラケット８は、略矩形状の固定面部８ｇの周囲で上辺部８ｂを除く三辺に、立壁８ｄ，８ｅが正面視略コ字状に連結されて設けられている。このうち、左，右一対の立壁８ｄ，８ｄには、挿通孔８ｊ，８ｊが２つずつ離間されて形成されている。
【００１５】
また、立壁８ｄ，８ｄには、近接方向に傾斜するテーパ部８ｆ，８ｆが一対形成されている（図６参照）。テーパ部８ｆは、本体側ブラケット７に装着される際、左，右方向から表示装置４の位置を規制するようにガイドする。
そして、表示部側ブラケット８には、上辺部８ｂに左，右一対の係止フック８ａ，８ａが設けられている。係止フック８ａ，８ａは、それぞれ下向きにかぎ部８ｃ，８ｃが突設されている。
【００１６】
一方、取付アーム３の先端面部７ａは、縦断面略Ｌ字状となるように屈曲されている。先端面部７ａの屈曲された折曲線には、隣接する二面に跨るように一対の被係止部としての係止孔７ｂ，７ｂが開口形成されている。係止孔７ｂ，７ｂは、係止フック８ａ，８ａに対応するように、所定の間隔を置いて設けられている。係止フック８ａが係止された状態では、開口下縁を中心とする揺動は許容するとともに、折曲線に沿う方向（図１の左右方向）の移動は規制される。
【００１７】
また、取付アーム３の先端部には、左，右一対の取付面部３ａ，３ａが設けられている。取付面部３ａ，３ａには、図示しない取付ねじを外側から挿通する取付孔３ｂ，３ｂが設けられている。本実施形態の本体側ブラケット７は、水平断面形状を略コ字状とすることにより、両側に一対の取付壁部７ｄ，７ｄを形成している。
本体側ブラケット７には、取付孔３ｂ，３ｂと対向する位置に挿通孔７ｃ，７ｃが形成されている。
取付孔３ｂ，３ｂと共に挿通孔７ｃ，７ｃに両側から挿通された取付ねじは、本体側ブラケット７を回動自在に軸支する。
【００１８】
さらに、取付壁部７ｄ，７ｄの下部には、表示部側ブラケット８の下側の挿通孔８ｊ，８ｊに対応して、挿通孔７ｆ，７ｆが形成されている。挿通孔７ｆ，７ｆは、挿通孔７ｃ，７ｃとは、上下方向で離し置きされている。このため、本体側ブラケット７は、表示部側ブラケット８と一体となって、挿通孔７ｃ，７ｃを回動中心として回動する。このため、所定の範囲でディスプレイ５の上下方向の角度調整を行うことができる。
【００１９】
また、挿通孔７ｆ，７ｆに換えて、取付壁部７ｄ，７ｄに円弧状の長孔７ｅ，７ｅを設けてもよい（図３中仮想線部分参照）。長孔７ｅは、係止孔７ｂを円の中心として周方向に延設される円弧状を呈し、表示部側ブラケット８の係止孔７ｂを回動中心とする回動を長孔７ｅの延設方向に沿わせるように開口形成されている。
たとえば、長孔７ｅに挿入された取付ビスのスライド移動により、係止孔７ｂを回動中心としてディスプレイ５の揺動を許容する。そして、所望の固定位置で、取付ビスを締結して固定するようにしてもよい。この際、蝶ネジを用いることにより、工具を必要とせずに組付けることができる。
このため、さらに、ディスプレイ５の設置角度を無段階で可変させることが出来て自由度が向上する。
【００２０】
次に、図２に示すように、精算機本体２がブース１０２の凹所に設置された状態で、取付アーム３の先端に表示装置４を装着する工程を図４および図５を用いて説明する。
図４に示すように、取付アーム３側の先端面部７ａに形成された係止孔７ｂ，７ｂに、ディスプレイ５側の係止フック８ａを挿入して係止する。
取付アーム３の被係止部としての係止孔７ｂに係止フック８ａを回動可能に係止すると、係止孔７ｂは、ディスプレイ５の上下方向の回動中心となる。そして、ディスプレイ５は、回動範囲に、ディスプレイ５の上端の係止フック８ａを係止孔７ｂに係止する取付位置（図４参照）と、ディスプレイ５の表示面側を正面に向ける固定位置（図５参照）とを少なくとも有して、これらを含む範囲で回動自在となる。
図４に示す取付位置の状態では、表示装置４が取付アーム３によって下方から支持されているため、作業者は一方の片手で容易にディスプレイ５を水平近くまで持ち上げて、上面部２ｈから離間させることができる。
【００２１】
このため、ディスプレイ５の裏面側と自動精算機１の筺体２ａの上面部２ｈとの間の空間は、拡大する。
この状態で、挿通孔７ｃ，挿通孔７ｆと挿通孔８ｊ，８ｊの位置を合わせて図示しない取付ネジ等の締結具で固定してもよい。この場合、作業者は、作業スペース１０３に居ながら回動により持上げられたディスプレイ５の裏面側の作業を行える。このため、表示装置４の側面とブース１０２の壁面との間の狭い空間に手を入れて作業する場合に比して、広いスペースを確保できる。したがって、取付作業性が良好である。
そして、他方の片手で、ディスプレイ５の裏面側に設けられた雌コネクタ１９（図５参照）にケーブル９の先端に設けられた雄コネクタ９ａを容易に接続することができる。
【００２２】
図５に示すようにケーブル９の接続後、係止フック８ａを回動中心として、矢印に示す方向に表示装置４を回動させると、図６に示すように、本体側ブラケット７に、表示部側ブラケット８が係合する。この際、表示部側ブラケット８に形成されたテーパ部８ｆ，８ｆが一対の取付壁部７ｄ，７ｄ間に表示部側ブラケット８を介装するのをガイドする。
このため、円滑に挿通孔７ｃ，挿通孔７ｆと挿通孔８ｊ，８ｊの位置を合わせが行われて、図示しない取付ネジ等の締結具で固定することができ、容易に取付けできる。このように本実施形態の自動精算機１では、設置作業性が良好で、設置場所に汎用性を持たせることができる。
また、図３中仮想線で示すように、挿通孔７ｆを長孔７ｅとすれば、本体側ブラケット７に対して表示装置４を回動させることが出来、さらに、表示面の角度の自由度が向上する。
【００２３】
［変形例１］
図７は、本実施形態の変形例１の取付構造を示すものである。図６との相違点は、本体側ブラケット１７に先端を拡開する受けテーパ部１７ｆ，１７ｆが形成されていることである。また、表示部側ブラケット１８にテーパ部は設けられていない。
これにより、表示部側ブラケット１８は、本体側ブラケット１７の受けテーパ部１７ｆ，１７ｆの内側面によってガイドされて、所望の位置に介装される。
他の構成および作用効果については、本実施形態の自動精算機１と同一乃至均等であるので説明を省略する。
【００２４】
［変形例２］
図８は、本実施形態の変形例２の自動精算機１に用いる表示装置４の取付構造を示すものである。図６に示す自動精算機１との相違点は、本体側ブラケット１７の下部縦壁１７ｇに係合突起部材１１ａが設けられている。係合突起部材１１ａは、スプリング１１ｂを介して下部縦壁１７ｇの内側面に連結されている。そして、係合突起部材１１ａは、表示部側ブラケット１８の下部に形成された係合孔８ｈに、先端に設けられているドーム型の凸状部を係合させる。
また、係合突起部材１１ａには、周囲に円形のフランジ部１１ｃが形成されている。そして、フランジ部１１ｃと本体側ブラケット１７の下部縦壁１７ｇとの間に介装されるスプリング１１ｂによって、係合突起部材１１ａは、立壁部８ｅ方向に付勢されている。
【００２５】
このように構成された変形例２では、本実施形態の作用効果に加えて、さらに、表示部側ブラケット１８は、係合孔８ｈに係合突起部材１１ａの先端の凸状部が係合される。このため、さらに容易に、表示装置４を取付アーム３の先端に固定することができる。
また、係合突起部材１１ａは、スプリング１１ｂによって付勢されて係合孔８ｈに係合されている。このため、容易に係合を解除して表示装置４の下縁を所望の位置まで持ち上げることが出来、更にメンテナンス性が良好である。
さらに、表示装置４を引き上げることにより、係止フック８ａ，８ａのかぎ部８ｃ，８ｃが係止孔７ｂ周縁から外れて容易に取外すことができる。
他の構成および作用効果については、本実施形態の自動精算機１と同一乃至均等であるので説明を省略する。
【００２６】
［変形例３］
図９は、本実施形態の変形例３の自動精算機１に用いる表示装置の取付構造を示すものである。図８に示す自動精算機１との相違点は、本体側ブラケット１７の下部縦壁１７ｇに山型の凸部１２ａを有する板バネ部材１２が設けられている。板バネ部材１２の凸部１２ａは、下部縦壁１７ｇ方向に弾性変形可能に構成されている。また、板バネ部材１２の脚部１２ｂは、本体側ブラケット１７の下部縦壁１７ｇに固着されている。
【００２７】
このように構成された変形例３では、本実施形態の作用効果に加えて、さらに、表示部側ブラケット１８が本体側ブラケット１７に介装されると、係合孔８ｈに板バネ部材１２の凸部１２ａが係合する。このため、さらに容易に、表示装置４を取付アーム３の先端に固定することができる。
また、板バネ部材１２は、凸部１２ａを弾性変形させる。このため、容易に係合を解除して表示装置４を所望の位置まで持ち上げることが出来、更にメンテナンス性が良好である。
他の構成および作用効果については、本実施形態の自動精算機１と同一乃至均等であるので説明を省略する。
【００２８】
［フットガード］
図１０〜図１３は、本実施形態の自動精算機１で、筺体２ａの下部に設けられるフットガードを説明するものである。フットガード部材３０は、下面２ｋ（図１４参照）の周囲を囲むことにより、埃や、小動物の侵入を防止するものである。
本実施形態の自動精算機１は、図１４（ａ）に示すように、筺体２ａの下面２ｋに設けられて、筺体２ａを支持する脚部２０と、脚部２０の周囲に設けられて筺体２ａの外側下縁に沿って配置されるフットガード部材３０とを更に備えている。
【００２９】
図１４を参照して説明すると、自動精算機１の脚部２０は、複数のキャスタ２１と、複数のプラパート２２とを有している。キャスタ２１とプラパート２２とは、筺体２ａの下面２ｋの四隅近傍に設けられている。
精算機本体２が移動を行う際には、プラパート２２の位置を上昇させて、キャスタ２１を接地させる。これにより、キャスタ２１は、下側から筺体２ａを支持する。
精算機本体２がブース１０２の凹部に配置される場合は、プラパート２２の位置が下降して、キャスタ２１を浮かす。これにより、プラパート２２は、下側から筺体２ａを支持する。
【００３０】
フットガード部材３０は、分解可能な複数の板状部材３１，３２，３３を有している。
各板状部材３１，３２，３３は、筺体２ａの外周の各辺に対応する。図１０に示すように、フットガード部材３０の各板状部材３１〜３３の端部間は、ボルトおよび図示しないナットからなる連結部材３５によって連結されて、上面視略正方形形状のフレーム枠部材が形成される。
【００３１】
フットガード部材３０のうち、図１２および図１３に示す少なくとも筺体２ａの背面側に位置する板状部材３２には、ケーブル９を挿通するケーブル開口３６が長手方向の左，右端側の何れか一方に開口形成されている。
図１２および図１３に示す背面の板状部材３２は、同一の板状部材３２である。すなわち、この一枚の板状部材３２の表裏を反対にすることにより、ケーブル開口３６の位置を右側（図１２参照）あるいは左側（図１３参照）に位置させることができる。
【００３２】
このように構成された本実施形態のフットガード部材３０は、図１１に示すように、まず設置場所に、各板状部材３２〜３３の端部間を連結部材３５によって連結して載置する。この際、板状部材３１が後に設けられる前面側の辺は開放されている。
次に、キャスタ２１を転動させて精算機本体２を開放している辺から、奥手方向Ｂ（図２参照）に押込むように各板状部材３２〜３３の内側に介装する。板状部材３３，３３の間隔は、キャスタ２１が通過できる大きさに設定されている。そして、プラパート２２の位置を下降させて、キャスタ２１を浮かして、筺体２ａを固定する。
そして、図１０に示すように、板状部材３１の端部を板状部材３３の端部に連結部材３５によって連結して設置が終了する。
【００３３】
本実施形態では、設置場所の配線状況に応じて、同一の板状部材３２が表裏を反対にするだけで、ケーブル開口３６の位置を右側（図１２参照）あるいは左側（図１３参照）に位置させて対応させることができる。
また、設置場所まで、フットガード部材３０は、各板状部材３１〜３３および、ボルトからなる連結部材３５に分解して搬送できる。
このため、部材効率が向上し、部品点数を削減することができる。
【００３４】
［ユニットロック］
また、本実施形態の自動精算機１は、図１４に示すように、筺体２ａの前面に形成されたメンテナンス開口２ｃと、メンテナンス開口２ｃの一側辺２ｄに設けられたヒンジ部材２ｅを回転中心として回動して、メンテナンス開口２ｃを開閉可能とする扉２ｂとを有している。
そして、筺体２ａの上面には、明細書を印刷するプリンタ装置４０が配設されている。
プリンタ装置４０は、カバー部材４２内部に収納されたロール紙からなるプリント用紙に印字を行う。印字されたプリント用紙は、カットされて明細書（レシート）として、明細書発行口４０ａから送出される（図１参照）。明細書発行口４０ａは、補充開口４１の内外を前後方向にスライド可能に設けられた引出部材４０ｂの前壁部４４に形成されている。
プリント用紙が無くなると、この引出部材４０ｂが引出される（図１４（ｂ）参照）。
通常、引出部材４０ｂは、盗難を防止するため、鍵を用いて引出不能となるように施錠されている。
しかしながら、メンテナンスを行う際、施錠部が２箇所あると、扉２ｂを開ける鍵と、引出部材４０ｂを開放可能とする鍵とを２つ必要とする為、作業が煩雑であった。
そこで、本実施形態では、図１に示すように一つの施錠部を一つの鍵で施錠および解錠して、筺体２ａの内部のメンテナンスの際にロール紙の補充が可能でメンテナンス作業性を向上させることができるとともに、防盗性の良好な自動精算機１を提供する。
【００３５】
図１および図１４に示すように、プリンタ装置４０には、上部を覆うカバー部材４２の前面にプリント用紙を供給する際に開放される補充開口４１が設けられている。
補充開口４１を開閉する引出部材４０ｂの前面下部には、突片部材４３が一体に設けられている。
突片部材４３は、引出部材４０ｂをカバー部材４２内に収納した状態で、扉２ｂの内側に位置する（図１４（ａ）参照）。このため、扉２ｂを閉じた状態では、扉２ｂおよびカバー部材４２の引出部材４０ｂを引出不能に干渉させて開放不能とし、扉２ｂを開放した状態では扉に引出部材４０ｂを干渉させずに開放可能とする。したがって、プリンタ装置４０に施錠部が不要となり、鍵の本数を減少させることができる。
【００３６】
［変形例４］
図１５および図１６の開閉体は、筺体２ａの上面部２ｈに設けられていて、先端部が上下方向に回動自在となるように軸支されたボックスカバー５２である。そして、扉２ｂが閉じた状態で扉２ｂの内枠材に対向する位置にボックスカバー５２から突設された突設片５３が係止されるように形成されている。
他の構成および作用効果については、本実施形態の自動精算機１と同一乃至均等であるので説明を省略する。
［変形例５］
図１７は、実施形態の変形例５の自動精算機で、扉２ｂを閉じた状態を示す側面図である。
変形例５では、扉２ｂ側に設けられた係止突起２ｆがボックスカバー６２から突設された係止片６３と係合している。
他の構成および作用効果については、本実施形態の自動精算機１と同一乃至均等であるので説明を省略する。
【００３７】
以上、本実施形態に係る自動精算機１について詳述してきたが、本発明はこれらの実施形態に限定されるものではなく、本発明の趣旨を逸脱しない範囲で適宜変更可能であることは言うまでもない。
【００３８】
例えば、本実施形態では、プリンタ装置４０の位置を上面部２ｈの右側としているが特にこれに限らず、中央部あるいは左側であってもよい。
また、扉２ｂの開閉方向も特に横開きに限らず、ヒンジ部材を下辺部等に設けて、手前に開くように構成してもよく、扉２ｂの形状、数量および材質が特に限定されるものではない。
【００３９】
また、締結具として取付ビスまたは、蝶ネジを例示して説明してきたが特にこれに限らない。たとえば、挿入により先端が拡開して固定する樹脂製クリップまたはファスナ等を用いてもよく、締結具の形状、数量および材質が特に限定されるものではない。
【符号の説明】
【００４０】
１      自動精算機
２      精算機本体
２ａ    筺体
３      取付アーム
５      ディスプレイ
７      本体側ブラケット（受金具）
７ｂ    係止孔（被係止部）
８      表示部側ブラケット（組付金具）
８ａ    係止フック
【図１】
2020170058.tif 000003
【図２】
2020170058.tif 000004
【図３】
2020170058.tif 000005
【図４】
2020170058.tif 000006
【図５】
2020170058.tif 000007
【図６】
2020170058.tif 000008
【図７】
2020170058.tif 000009
【図８】
2020170058.tif 000010
【図９】
2020170058.tif 000011
【図１０】
2020170058.tif 000012
【図１１】
2020170058.tif 000013
【図１２】
2020170058.tif 000014
【図１３】
2020170058.tif 000015
【図１４】
2020170058.tif 000016
【図１５】
2020170058.tif 000017
【図１６】
2020170058.tif 000018
【図１７】
2020170058.tif 000019